(57)【特許請求の範囲】
【請求項１】
上方から下方に向かって搬送される発泡シートの両側方に配設して、該発泡シートの両側端縁部を前後から挟持しながら通過させることにより発泡シートを幅方向に拡幅する装置であって、上下方向に巡回走行する無端挟持ベルトを備えた前後一対のガイドブロックからなる拡幅装置を発泡シートの両側方に配設して、これらの拡幅装置における上方から下方に向かって走行する前後一対の無端挟持ベルトの対向挟持面によって上記発泡シートの両側端縁部を挟持させるようにすると共に、これらの前後一対の無端挟持ベルトを上方から下方に向かって外側方に傾斜させることにより発泡シートを幅方向に拡幅させるように構成してあり、さらに、上記前後無端挟持ベルト間の上端部に、発泡シートの側端面を受止しながら下方に案内する無端受止ベルトと、発泡シートの側端部を拡幅方向に吸引する吸引手段とからなるガイド機構を配設してなることを特徴とする発泡シートの拡幅装置。
【請求項２】
上下方向に巡回走行する無端挟持ベルトを備えた前後一対のガイドブロックからなる拡幅装置において、前側のガイドブロックを上下に二分割して、上側ブロック部の下端部を下側ブロック部の上端部に前後方向に回動自在に枢着することにより、前後無端挟持ベルトの上端開口幅を調節可能に構成していることを特徴とする請求項１に記載の発泡シートの拡幅装置。
【請求項３】
上下方向に巡回走行する無端挟持ベルトを備えた前後一対のガイドブロックからなる拡幅装置において、前側及び後側のガイドブロックを上下に二分割して、上側ブロック部に下側ブロック部を、発泡シートの幅方向に回動自在に枢着することにより、下側ブロック部の拡幅割合を独立して調整可能にしていることを特徴とする請求項１又は２に記載の発泡シートの拡幅装置。
【発明の詳細な説明】
【０００１】
【発明の属する技術分野】
本発明は、発泡炉から排出された直後の発泡シートを拡幅する発泡シートの拡幅装置に関するものである。
【０００２】
【従来の技術】
従来から発泡シートを２次成形する際、発泡シートが垂れ、その垂れが原因となって成形品に成形皺が発生することがあった。このような２次成形時の成形皺を防止するために、発泡炉から排出された直後の発泡シートを幅方向に拡幅させて、発泡シートに残留応力を残存させ、２次成形時にその残留応力を原因とした収縮を発泡シートに生じさせて、発泡シートの２次成形時の垂れを防止していた。
【０００３】
このような発泡シートを幅方向に拡幅するための発泡シートの拡幅装置としては、左右一対の拡幅装置からなり、該拡幅装置として、特開平９−２９５３２３号公報に記載されたシート拡幅装置、所謂ガイダーと、該ガイダーから下方に所定間隔を存して配設された特開平７−２４９１９号公報に記載された発泡シートの拡幅装置、所謂テンターとからなるものが用いられている。
【０００４】
しかしながら、上記発泡シートの拡幅装置では、上記の如く、ガイダーとテンターとの間に隙間があることから、上方から搬送されてくる上記ガイダーから搬出された発泡シートの端部がテンター側にうまく供給されず、発泡シートの端部がテンターから頻繁に外れ、その度毎に発泡シートの端部を手でテンターに供給してやる必要があった。
【０００５】
又、上記ガイダーは、発泡シートの側端面を外側方に吸引することにより発泡シートを幅方向に拡幅しているのであるが、この際、発泡シートの側端縁部における表裏面が、上記ガイダーの規制板に接触し、該規制板に巻き込まれるのを防止するために、上記ガイダーの規制板と上記発泡シートの側端縁部における表裏面との間に空気を送り込むことによって空気層を形成し、上記発泡体の側端縁部が規制板に巻き込まれるのを防止していた。
【０００６】
このため、上記発泡シートの側端縁部は上記空気の送り込みによって冷却され、拡幅による発泡シートの延伸が不均一となり、得られる発泡シートの厚みにムラが生じるといった問題があった。
【０００７】
【発明が解決しようとする課題】
本発明は、発泡炉から排出された直後の発泡シートの両側端縁部を安定的に把持し安定した状態で連続的に拡幅することができるとともに、幅方向の厚みムラが少ない、幅方向に拡幅された発泡シートを製造することができる発泡シートの拡幅装置を提供する。
【０００８】
【課題を解決するための手段】
請求項１に記載の発泡シートの拡幅装置は、上方から下方に向かって搬送される発泡シートの両側方に配設して、該発泡シートの両側端縁部を前後から挟持しながら通過させることにより発泡シートを幅方向に拡幅する装置であって、上下方向に巡回走行する無端挟持ベルトを備えた前後一対のガイドブロックからなる拡幅装置を発泡シートの両側方に配設して、これらの拡幅装置における上方から下方に向かって走行する前後一対の無端挟持ベルトの対向挟持面によって上記発泡シートの両側端縁部を挟持させるようにすると共に、これらの前後一対の無端挟持ベルトを上方から下方に向かって外側方に傾斜させることにより発泡シートを幅方向に拡幅させるように構成してあり、さらに、上記前後無端挟持ベルト間の上端部に、発泡シートの側端面を受止しながら下方に案内する無端受止ベルトと、発泡シートの側端部を拡幅方向に吸引する吸引手段とからなるガイド機構を配設してなることを特徴とする。
【０００９】
請求項２に記載の発泡シートの拡幅装置は、請求項１に記載の発泡シートの拡幅装置の、上下方向に巡回走行する無端挟持ベルトを備えた前後一対のガイドブロックからなる拡幅装置において、前側のガイドブロックを上下に二分割して、上側ブロック部の下端部を下側ブロック部の上端部に前後方向に回動自在に枢着することにより、前後無端挟持ベルトの上端開口幅を調節可能に構成していることを特徴とする。
【００１０】
請求項３に記載の発泡シートの拡幅装置は、請求項１又は２記載の発泡シートの拡幅装置の、上下方向に巡回走行する無端挟持ベルトを備えた前後一対のガイドブロックからなる拡幅装置において、前側及び後側のガイドブロックを上下に二分割して、上側ブロック部に下側ブロック部を、発泡シートの幅方向に回動自在に枢着することにより、下側ブロック部の拡幅割合を独立して調整可能にしていることを特徴とする。
【００１１】
【発明の実施の形態】
本発明の具体的な実施例を図面について説明すると、図１乃至図３に示したように、発泡シートＡの拡幅装置は板状のベース１と、このベース１の表面の前後部に配設された前後ガイドブロック２、３と、これらの前後ガイドブロック２、３にそれぞれ張設されて発泡シートＡの側端縁部の表裏面を挟持する前後一対の無端挟持ベルト４、５と、上記ベース１の裏面側上端部に固定された枠体６と、この枠体６に配設されて発泡シートＡの側端面を受止する無端受止ベルト７と、この無端受止ベルト７の裏面側から発泡シートＡの側端面を吸引する吸引手段８と、上記前後ガイドブロック２、３を前後方向に平行移動させて無端挟持ベルト４、５の対向挟持面４’、５’間の間隔を調節する挟持面間調節機構９と、これらの無端挟持ベルト４、５及び上記無端受止ベルト７の駆動機構１０（図６に示す）とからなる。
【００１２】
さらに、上記前後ガイドブロック２、３はそれぞれ上側ブロック部２ａ、３ａと下側ブロック部２ｂ、３ｂとに２分割されていると共に前側のガイドブロック２における上側ブロック部２ａを下側ブロック部２ｂに前後回動自在に枢着部１１で枢着することにより、前側ガイドブロック２の上側ブロック部２ａを後側ガイドブロック３の上側ブロック部３ａに対して接離させるようにして前後ガイドブロック２、３に張設された前後挟持ベルト４、５の上端部対向面間で形成する発泡シート送入口１２の開口幅を変更可能にしている。
【００１３】
前後ガイドブロック２、３の形状は一定幅と厚みを有する縦長長方形状に形成されていると共にその裏面側周縁にフランジ部２１、３１を周設してあり、さらに、これらの前後ガイドブロック２、３の対向面に上記前後一対の無端挟持ベルト４、５のレール部材２２、３２をそれぞれ一体的に設けている。無端挟持ベルト４、５は、図４に示したように、チェーン４ａ、５ａに表面が平坦な矩形状の合成樹脂製挟持片４ｂ、５ｂを多数、直列状に取付けてなり、この無端挟持ベルト４、５を前後ガイドブロック２、３の表面側上下端部にそれぞれ回転自在に軸支されたスプロケット２３、２４間とスプロケット３３、３４間に無端状に掛け渡し、その対向面を所望間隔を存した状態で前後ガイドブロック２、３の対向面に設けている上記レール部材２２、３２に沿って上方から下方に向かって走行させるように構成している。
尚、無端挟持ベルトとしては、必要とされる強度、耐久性等を有するものであれば特には限定されず、通常のベルト状のものを使用してもよい。
【００１４】
また、上記前後ガイドブロック２、３の下側ブロック部２ｂ、３ｂにおける上下端部の裏面には摺動片２５、２６、３５、３６が固着してあり、下側ブロック部２ｂ、３ｂの裏面上端部に固着した摺動片２５、３５と、裏面下端部に固着した摺動片２６、３６とを、上記ベース１の表面に水平方向に固着している上下水平ガイド溝部材１３、１４（図６に示す）にそれぞれ摺動自在に係合させて前後ガイドブロック２、３をベース１上に前後方向に平行移動自在に取付けている。
【００１５】
前後ガイドブロック２、３を平行移動させて無端挟持ベルト４、５の対向挟持面４’、５’間の間隔を調整する挟持面間調整機構９は、図５に示したように、ベース１の表面上部と下部上に長さ方向の一半部に左螺子９１を他半部に右螺子９２を刻設してなる左右送り螺子棒９ａ、９ｂを水平方向に向けた状態で回転自在に支持し、これらの上側と下側の左右送り螺子棒９ａ、９ｂの左右螺子９１、９２を上記前後ガイドブロック２、３の下側ブロック部２ｂ、３ｂの上下端部裏面に固着している摺動片２５、３５と摺動片２６、３６とにそれぞれ螺通させ、さらに、上側と下側の左右送り螺子棒９ａ、９ｂの端部に傘歯車９３、９４を固着してこれらの傘歯車９３、９４をベース１の表面前端部上に回転自在に支持された回転伝達棒９５の上下端に固着している傘歯車９６、９７にそれぞれ噛合させると共に下側の左右送り螺子棒９ｂの前端にハンドル９８を固着してなり、このハンドル９８を回転操作することによって上下側の左右送り螺子棒９ａ、９ｂを同時に回転させ、上側摺動片２５、３５と下側摺動片２６、３６とを前後方向に互いに接離させることにより前後ガイドブロック２、３を前後方向に平行移動させるように構成している。
【００１６】
また、前後ガイドブロック２、３は上述したように、上側ブロック部２ａ、３ａに対して下側ブロック部２ｂ、３ｂを分離させているが、これらの上下ブロック部２ａ、２ｂと３ａ、３ｂとの対向面間は、一方のブロック部に固着し且つ他方のブロック部に対して長さ方向に摺動自在としたガイド棒１５によって連結してあり、下側ブロック２ｂ、３ｂの上端部にそれぞれ装着したエアーシリンダ１６、１６のロッドを上側ブロック部２ａ、３ａの下端部に連結してこれらのエアーシリンダ１６、１６のロッドを常時一定の圧力でもって伸長する方向に作動させておくことにより、下側ブロック部２ｂ、３ｂに対して上側ブロック部２ａ、３ａを上方に押圧して前後無端挟持ベルト４、５に一定のテンションを付与している。
【００１７】
前後無端挟持ベルト４、５の上端部対向面間で形成される上述した発泡シート送入口１２の開口幅を調整する手段としては、前側ガイドブロック２の上側ブロック部２ａの表面と、この上側ブロック部２ａを前後回動自在に枢着部１１により枢着している下端部（この部分は下側ブロック部２ｂに上記したガイド棒１５によって連結している）とにブラケット４１、４２を固着し、上側ブロック部２ａから前方に突出した下側のブラケット４２に調節螺子４３を上下方向に螺通させると共にこの調節螺子４３の上端部を上側ブロック部２ａから前方に突出した上側のブラケット４１に回動自在に連結し、さらに、上下ブラケット４１、４２の対向面間に下側ブラケット４２に対して上側ブラケット４１を常時上方に弾圧している圧縮スプリング４４を介在させてなるものであり、調節螺子４３を回転操作することによって上側ブロック部２ａを枢着部１１を支点として前後方向に回動させ、前後ガイドブロック２、３の上側ブロック部２ａ、３ａ側における無端挟持ベルト４、５の対向挟持面４’、５’間で形成された蒸気発泡シート送入口１２を上端側が幅広く、下端側に行くに従って徐々に幅狭くして下端側、即ち、枢着部１１の近傍部で無端挟持ベルト４、５の対向挟持面４’、５’により発泡シートＡを挟持させるように構成している。
【００１８】
さらに、発泡シートの拡幅割合を調整する手段としては、下側ブロック部２ｂ、３ｂを枢着部１７１、１７２により上側ブロック部２ａ、３ａに対して発泡シートの幅方向に回動自在に枢着しており、上下側ブロック部２ａ、２ｂに連動した調節螺子１８により拡幅割合を調節可能とし、該拡幅割合は、左右送り螺子棒９ａ、９ｂを通して上下側ブロック部３ａ、３ｂに伝達される。
【００１９】
発泡シート送入口１２に臨ませて該発泡シート送入口１２の外方には発泡シートＡの側端面を受止する上記無端受止ベルト７を配設している。この無端受止ベルト７は、上記ベース１の上端裏面に固着された前後縦フレーム６１、６２からなる上記枠体６内に回転自在に支承されている複数個のロール５１〜５４に無端状に掛け渡されている。詳しくは、図６に示すように、前後縦フレーム６１、６２間の両側端部の上下部に上記ロール５１〜５４を回転自在に配設していると共に前後縦フレーム６１、６２の端面間に、図７に示すように前後ガイドブロック２、３の上側ブロック部２ａ、３ａの外側面上部に当接させている固定板６３を固着し、この固定板６３の中央部に表裏面が平滑な硬質合成樹脂からなるガイド板６４を嵌着させた一定幅の凹所６５を全長に亘って設けてあり、このガイド板６４の表面に全長に亘って設けている凹溝６６に上側のロール５１から下側のロール５２間に掛け渡されて下方に走行する網ベルトからなる無端受止ベルト７を挿通させている。
【００２０】
さらに、前後縦フレーム６１、６２間の背面側に回転自在に配設されている上下ロール５３、５４間に無端受止ベルト７を常時緊張させる方向に張引しているアイドラー５５を配設していると共に下側のロール５４を駆動ロールとしてこの駆動ロール５４にスプリング力によって押さえロール５６を圧接させてあり、この押さえロール５６と駆動ロール５４との挟圧摩擦力によって無端受止ベルト７を巡回、走行させるように構成している。
【００２１】
また、上記固定板６３とガイド板６４にはその幅方向の中央部に縦長孔１９を互いに連通させて設けていると共にこの縦長孔１９の背面側に吸引手段８である吸引室８ａを設けて該吸引室８ａの開口端を縦長孔１９に連通させてあり、吸引室８ａからの空気吸引力を縦長孔１９から無端受止ベルト７の網目によって形成される無数の通気孔を通じて上記発泡シート送入口１２に作用させることにより、この発泡シート送入口１２に挿入される発泡シートＡの側端面を吸引して無端受止ベルト７の表面に密接させるようにしている。なお、吸引室８ａには外部の適所に設置した真空ポンプ（図示せず）からの配管を連結、連通させる通孔が設けられている。
【００２２】
枠体６の前後縦フレーム６１、６２に固着している上記固定板６３はその前後部を前後縦フレーム６１、６２から前後方向に突出させてあり、この突出部に上記前後ガイドブロック２、３の上側ブロック部２ａ、３ａの外端部に固着した添板２７、３７を摺動自在に密接させ、上側ブロック部２ａ、３ａと添板２７、３７間に固定板６３の上記突出部を介在させた状態にしてこの突出部をガイドとして上側ブロック部２ａ、３ａを前後方向に移動可能に構成している。なお、上側ブロック部２ａ、３ａの対向部には背面が平滑な硬質合成樹脂製の押さえ板２０、２０が固着されていて、この押さえ板２０、２０の背面を上記ガイド板６４の凹溝６６内を走行する無端受止ベルト７の表面に摺接させて、吸引室８ａ側から無端受止ベルト７を通じて発泡シート挿入口１２側に発生する吸引作用を漏洩させることなく行わせるようにしている。
【００２３】
次に、上記無端挟持ベルト４、５と無端受止ベルト７との駆動機構１０について説明すると、図６及び図８に示したように、ベース１の背面下端部に駆動モータ１０１を設置していると共にベース１の背面に支持台板１０２を一体に設けて、この支持台板１０２に上下端部に傘歯車１０３、１０４を固着している回転伝達棒１０５を回転自在に支持し、その上側傘歯車１０３をベース１の背面上部に回転自在に軸支されている中間水平軸１０６の一端に固着した傘歯車１０７に噛合させていると共に、この中間水平軸１０６の他端に固着しているスプロケット１０９間に無端チェーン１１１を掛け渡し、さらに、回転伝達棒１０５の下側傘歯車１０４を、ベース１に回転自在に支持された噛合歯車列１１０を介して駆動モータ１０１の回転軸に固着した歯車１１２に噛合させて、駆動モータ１０１の回転を駆動ロール５４に伝達し、無端受止ベルト７を巡回走行させるように構成している。
【００２４】
さらに、上記駆動モータ１０１の回転軸にスプロケット１１３を固着すると共に前側ガイドブロック２の下端部に軸支している上記スプロケット２４の中心軸にスプロケット１１４を固着してこれらのスプロケット１１３、１１４間に無端チェーン１１５を掛け渡し、駆動モータ１０１の回転を前側ガイドブロック２の上記スプロケット１１４に伝達してこのスプロケット１１４を回転させることにより該スプロケット２４と上側スプロケット２３間に掛け渡している上記前側の無端挟持ベルト４を巡回走行させるように構成している。
【００２５】
一方、後側無端挟持ベルト５の駆動機構としては、ベース１の裏面側に別な駆動モータ１１６を設置し、この駆動モータ１１６の回転軸に固着したスプロケット１１７と後側ガイドブロック３の下端部に軸支している上記スプロケット３４の中心軸に固着したスプロケット１１８間に無端チェーン１１９を掛け渡して上記駆動モータ１１６の回転を上記スプロケット３４に伝達することにより、後側の無端挟持ベルト５を巡回走行させるように構成している。
【００２６】
このように構成した拡幅装置Ｂ、Ｂを２基使用して、図９に示すように拡幅すべき発泡シートＡを通過途上の両側方に発泡シートＡの幅方向に所定間隔を存して配設する。その配設構造としては、発泡シートＡを横断するようにして一定高さ位置に横架している水平ガイド部材Ｃに発泡シートＡの拡幅すべき幅間隔を存して摺動部材Ｄ、Ｄを水平方向に摺動、固定自在に取付け、これらの摺動部材Ｄ、Ｄに拡幅装置Ｂ、Ｂのベース１をそれぞれ角度調整可能に取付けてなる構造としている。
【００２７】
そして、まず、２基の拡幅装置Ｂをその上端側から下端側に向かって外方に所定角度傾斜させた状態とし、この状態で拡幅すべき発泡シートＡの両側端面を拡幅装置Ｂの無端受止ベルト７に受止させながら前後無端挟持ベルト４、５間に送入させて発泡シートＡの拡幅を行うものである。この際、拡幅装置Ｂの前後無端挟持ベルト４、５の対向挟持面４’、５’間の間隔を発泡シートＡの厚みに応じて挟持面間調節機構９により調整すると共に、前後ガイドブロック２、３の上側ブロック部２ａ、３ａ間の発泡シート送入口１２の開口幅も調節螺子４３を回転操作することによって上側ブロック部２ａを枢着部１１を支点として前後方向に回動させることにより発泡シートＡの厚みに応じた開口幅に調節しておく。
【００２８】
この状態にして拡幅すべき発泡シートＡを拡幅装置Ｂ間に送り込むと、先ず、その両側端面が上記吸引室８ａからの空気吸引力によって上記無端受止ベルト７に吸引、密着させられるとともに、該無端受止ベルト７によって下方に搬送される。この際、上記無端挟持ベルト４、５も上記無端受止ベルト７と同一速度で上方から下方に向かって搬送されていることから、上記無端受止ベルト７によって下方に搬送される発泡シートＡの両側端縁が上記無端挟持ベルト４、５に巻き込まれるといった不測の事態を生じることがない。よって、従来の如く、発泡シートＡの両側端縁が拡幅装置に巻き込まれないように、その部分に空気を供給して空気層を作るといった必要がなく、従って、空気の吹きつけによる発泡シートＡの両側端縁の冷却といった問題は生じず、発泡シートの両側端縁も発泡シートの中央部と同様に拡幅することができる。
【００２９】
又、上記無端搬送ベルト４、５の対向挟持面４’、５’間の間隔を上記発泡シートＡの厚みに極力近づけることができるので、上記無端受止ベルト７における上記発泡シートＡの両側端面の吸引力を向上させることができ、上記無端受止ベルト７における上記発泡シートＡの吸引が不測に解除されて、発泡シートＡの両側端面が無端受止ベルト７から外れてしまうといったことはなく、上記発泡シートＡは、その両側端面を上記無端受止ベルト７に確実に吸引、把持された状態で幅方向に拡幅されつつ、下方に搬送される。
【００３０】
そして、上記発泡シートＡは、上記無端受止ベルト７によって果報に向かって搬送され、発泡シートＡが上記無端受止ベルト７の下端に達すると、上記発泡体Ａはその両側端面の上記無端受止ベルト７による吸引を解除されるとともに、上記前後ガイドブロック２、３の下側ブロック部２ｂ、３ｂの上端部における上記無端挟持ベルト４、５の対向挟持面４’、５’からなる挟持始端に連続的に供給されて、上記無端挟持ベルト４、５の対向挟持面４’、５’によってその両側端縁を把持されて幅方向に拡幅されながら下方に搬送される。そして、上記発泡シートＡが上記無端挟持ベルト４、５の下端対向挟持面４’、５’、即ち、挟持終端に達した時点で、上記発泡シートＡの上記無端挟持ベルト４、５による挟持、拡幅は解除されて、任意の巻き取り装置に巻き取られる。
【００３１】
このように、発泡シートＡの両側端縁は、上記無端受止ベルト７によって完全に吸引、把持されて引き揃えられた状態で連続的に上記無端挟持ベルト４、５の対向挟持面４’、５’間に供給されるので、上記発泡シートＡは、上記無端挟持ベルト４、５の対向挟持面４’、５’間に確実に挟持された状態で幅方向に拡幅される。
【００３２】
拡幅割合は、調節螺子１４により下側ブロック部２ｂ、３ｂを回動させるようにしているので、発泡シート送入口の開口幅等とは独立して調節可能である。
【００３３】
【発明の効果】
本発明の発泡シートの拡幅装置は、上述したような構成であるので、上記無端挟持ベルトも上記無端受止ベルトと同一速度で上方から下方に向かって搬送されており、無端受止ベルトに両側端面を吸引、把持された発泡シートがたとえ上記無端挟持ベルトに接触した場合にあっても、発泡シートが無端挟持ベルトに巻き込まれるといったことはない。
【００３４】
従って、上記無端受止ベルトに対応する上記無端挟持ベルトの対向面間距離をできるだけ発泡シートの厚みに近づけることができるので、上記無端受止ベルトにおいて発泡シートの両側端面を吸引する際、上記発泡シートの両側端縁における前後面と上記無端挟持ベルトとの間から上記無端受止ベルトに空気が流入するのを最小限に抑えることができ、上記無端受止ベルトにおける発泡シートの両側端面の吸引力の低下が少なく、上記発泡シートの両側端面をより確実に吸引、把持することができる。
【００３５】
又、上記の如く、発泡シートが無端挟持ベルトに巻き込まれるといったことがないため、発泡シートの両側端縁における前後面と上記無端挟持ベルトとの間に巻き込み防止のための空気を吹きつける必要がなく、よって、発泡シートの両側端縁を冷却することがないため、発泡シートの両側端縁も中央部と同様に拡幅することができ、幅方向において厚みムラのない厚みが略均一な発泡シートを得ることができる。
【００３６】
更に、発泡シートは、その両側端縁を上記無端受止ベルトにおいて完全に吸引、把持され引き揃えられた状態で連続的に上記無端挟持ベルトの対向挟持面によって挟持される。従って、発泡シートは、その両側端縁を上記無端挟持ベルトの対向挟持面間に確実に供給されて挟持され、拡幅途上において無端挟持ベルトの対向挟持面から不測に外れたりすることなく、確実に幅方向に拡幅される。
【００３７】
また、請求項２に記載の発泡シートの拡幅装置は、前側のガイドブロックの上側ブロック部が下側ブロック部に対して回動自在とされているので、前後無端挟持ベルトの開口部に発泡シートを確実に供給されるように、予め開口幅を調節することができる。
【００３８】
また、請求項３に記載の発泡シートの拡幅装置は、下側ブロック部が上側ブロック部に対して回動自在に枢着されているので、前後無端挟持ベルトの上端開口部の開口幅等とは独立して発泡シートの拡幅割合を調節することができる。
【図面の簡単な説明】
【図１】本発明の拡幅装置の主要部を示した斜視図である。
【図２】本発明の拡幅装置の一部を示した側面図である。
【図３】上側ブロック部を示した側面図である。
【図４】無端挟持ベルトの一部を示した斜視図である。
【図５】挟持面間調節機構の一部を示した側面図である。
【図６】本発明の拡幅装置の一部を示した正面図である。
【図７】ガイド機構を示した一部断面平面図である。
【図８】本発明の拡幅装置の一部を示した側面図である。
【図９】本発明の拡幅装置の使用状態を示した正面図である。
【符号の説明】
１  ベース
２  前側ガイドブロック
２ａ  上側ブロック部
２ｂ  下側ブロック部
３  後側ガイドブロック
３ａ  上側ブロック部
３ｂ  下側ブロック部
４、５  無端挟持ベルト
６  枠体
７  無端受止ベルト
８  吸引手段
９  挟持面間調節機構
１０  駆動機構
１２  発泡シート送入口
Ａ  発泡シート
Ｂ  拡幅装置
【図１】
0004025457.tif 000002
【図２】
0004025457.tif 000003
【図３】
0004025457.tif 000004
【図４】
0004025457.tif 000005
【図５】
0004025457.tif 000006
【図６】
0004025457.tif 000007
【図７】
0004025457.tif 000008
【図８】
0004025457.tif 000009
【図９】
0004025457.tif 000010